(57)【要約】【課題】  撮像手段の駆動制限に影響されることなく見たい被写体に対して適切な評価枠設定を撮像手段の駆動に連動して行う。【解決手段】  撮像手段を第１の方向に動かすパン機構などの移動機構を制御する制御手段と、露出制御、焦点調節、自動ホワイトバランスのうちの少なくとも一つの評価枠を撮像画面上に生成する評価枠生成手段とを備えた撮像装置において、移動機構の動作で撮像手段が駆動範囲の制限端まで移動した場合（２０１のＮＯ）には、評価枠の位置を移動機構による撮像手段の移動に連動させて撮像手段の移動と同一方向に評価枠を基準位置から動かす（２０６）。【選択図】  図２
2014027587.tif 000002
【特許請求の範囲】
【請求項１】
撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、
露出制御、焦点調節、自動ホワイトバランスのうちの少なくとも一つの評価枠を撮像画面上に生成する評価枠生成手段とを備えた撮像装置において、
前記移動機構の動作で前記撮像手段が駆動範囲の制限端まで移動した場合には、前記評価枠の位置を前記移動機構による前記撮像手段の移動に連動させて前記撮像手段の移動と同一方向に前記評価枠を基準位置から動かす評価枠移動手段を有することを特徴とする撮像装置。
【請求項２】
撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、
露出制御、焦点調節、自動ホワイトバランスのうちの少なくとも一つの評価枠を撮像画面上に生成する評価枠生成手段とを備えた撮像装置において、
前記移動機構の動作で前記撮像手段が駆動範囲の制限端まで移動した場合には、前記評価枠の重みづけを前記移動機構による前記撮像手段の移動に連動させて標準状態から変更する重みづけ変更手段を有することを特徴とする撮像装置。
【請求項３】
前記評価枠が前記基準位置から移動している状態で前記制御手段が前記移動機構により前記撮像手段を駆動範囲内に戻そうとする場合、前記撮像手段の移動量が前記評価枠の移動量より大きいときには、前記評価枠移動手段は、前記評価枠の位置を前記基準位置に戻し、前記制御手段は、前記移動機構により前記撮像手段を移動させ、前記撮像手段の移動量が前記評価枠の移動量以下のときには、前記評価枠移動手段は、前記評価枠の位置を移動させることを特徴とする請求項１に記載の撮像装置。
【請求項４】
前記評価枠の重みづけが前記標準状態から変更された状態で前記制御手段が前記移動機構により前記撮像手段を駆動範囲内に戻そうとする場合、前記撮像手段の移動量が前記評価枠の重みづけ変更量より大きいときには、前記重みづけ変更手段は、前記評価枠の重みづけを前記標準状態に戻し、前記制御手段は、前記移動機構により前記撮像手段を移動させ、前記撮像手段の移動量が前記評価枠の重みづけ変更量以下のときには、前記重みづけ変更手段は、前記評価枠の重みづけを前記標準状態の方向へ変更することを特徴とする請求項２に記載の撮像装置。
【請求項５】
請求項１ないし４のいずれか１項に記載の撮像装置における前記評価枠を設定する評価枠設定システムであって、
前記撮像手段の前記移動を操作するために表示するエリアに、前記評価枠の移動あるいは重みづけ変更を表示するエリアを、追加して設けたことを特徴とする評価枠設定システム。
【請求項６】
請求項１ないし４のいずれか１項に記載の撮像装置における前記評価枠を設定する評価枠設定システムであって、
前記評価枠が前記基準位置から移動され、あるいは標準状態から変更される場合に、前記評価枠の表示位置を変えることを特徴とする評価枠設定システム。
【請求項７】
前記評価枠が前記基準位置から移動した場合に、所定時間、前記評価枠の移動がないときには、前記評価枠の表示をやめることを特徴とする請求項６に記載の評価枠設定システム。
【請求項８】
撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、露出制御、焦点調節、自動ホワイトバランスのうちの少なくとも一つの評価枠を撮像画面上に生成する評価枠生成手段とを備えた撮像装置の制御方法であって、
前記移動機構の動作で前記撮像手段が駆動範囲の制限端まで移動した場合には、前記評価枠の位置を前記移動機構による前記撮像手段の移動に連動させて前記撮像手段の移動と同一方向に前記評価枠を基準位置から動かす評価枠移動ステップを有することを特徴とする撮像装置の制御方法。
【請求項９】
撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、
露出制御、焦点調節、自動ホワイトバランスのうちの少なくとも一つの評価枠を撮像画面上に生成する評価枠生成手段とを備えた撮像装置の制御方法であって、
前記移動機構の動作で前記撮像手段が駆動範囲の制限端まで移動した場合には、前記評価枠の重みづけを前記移動機構による前記撮像手段の移動に連動させて標準状態から変更する重みづけ変更ステップを有することを特徴とする撮像装置の制御方法。
【発明の詳細な説明】
【技術分野】
【０００１】
本発明は、監視カメラなどに好適な撮像装置、評価枠設定システムおよび撮像装置の制御方法に関するものである。
【背景技術】
【０００２】
従来から撮像装置において、撮像装置としてのカメラ（撮像手段のみの場合を含む）を左右に動かすパンニング（以下パンまたはＰ）、カメラを上下に動かすチルティング（以下チルトまたはＴ）、カメラを回転させるローテーション（以下Ｒ）といった機能を備えたカメラがセキュリティーに用いられる監視カメラ等では一般的に出回っている。
【０００３】
このような機能を搭載する事で、遠隔地からカメラを自由に見たい方向、見たい被写体に対して動かすことが出来るようになっている。
【０００４】
このように自由にカメラを操作できる一方、カメラを自由に操作できなくする可視範囲制限といった機能や物理的にカメラのメカ構造が要因の駆動限界といったものがある。
【０００５】
前記可視範囲制限とは、カメラが駆動できる範囲をあらかじめ設定しておき、ユーザーは設定された可視範囲エリア内だけを自由にカメラ駆動できるものである。
【０００６】
この機能により、撮影されたくない場所を映さないようにすることができ、プライバシーの保護等が守られる。
【０００７】
このようなカメラの駆動制限に対して従来から様々な方法で駆動制限を利用したり、またその欠点を克服しようとする技術が発明されている。
【０００８】
例えば駆動制限を利用したものとして特許文献１が開示されている。
【０００９】
一般的に監視カメラにおいてはカメラを保護したり、カメラを隠したりする目的でドームといわれる半球状のカバーで被っているドームカメラと呼ばれるようなものがある。このドームカメラはカメラ本体にドームを取り付けるため、ドームの取り付け部分が構造的に生じる。
【００１０】
カメラを駆動させると、このドームの取り付け部分が映像に映り込み、被写体がドームの取り付け部に隠れてしまい、見難い映像になってしまっていた。
【００１１】
そこで特許文献１では可視範囲制限を設けてドームの取り付け部分が写り込む場所までカメラを駆動させないようにして、常にドームの取り付け部分が写らない映像を提供する事が出来るようにしている。
【先行技術文献】
【特許文献】
【００１２】
【特許文献１】特開２００２−３５９７７０号公報
【発明の概要】
【発明が解決しようとする課題】
【００１３】
カメラにおける代表的な機能として、自動露出制御（ＡＥ）、自動焦点調節（ＡＦ）、自動ホワイトバランス（ＡＷＢ）といった機能がある。
【００１４】
これらの機能は、撮影された画像内のあらかじめ設定された領域（評価枠）に対して処理を行うものが一般的である。
【００１５】
そのような機能を持つカメラにおいて、被写体に対して前記処理動作を行う場合は、ＰＴＲ操作を行い、一般的には見たい被写体が画面中心にくるようカメラを操作し、撮影を行う。
【００１６】
しかしながら、カメラのＰＴＲ機能の駆動制限まで操作されると、被写体を映像の中心にしようとしても、カメラが駆動できず、その結果見たい被写体に対して適したカメラ設定が行われないという問題があった。
【００１７】
例えば図１２は、カメラ１２０１が撮影している撮影画面１２０２に映っている映したい被写体１２０３を画面の中心に合わせようとする場合を示している。すなわち、被写体１２０３をカメラの設定を行う評価枠１２０４に合わせようとしても、ＰＴＲ駆動制限のために合わせられず、床の台座にカメラ設定を合わせてしまう。
【００１８】
なお、評価枠は、画面の中心を含めて複数ある場合もある。
【００１９】
さらに上述の特許文献１の方法では、ドームの取り付け部が写り、見難い映像になる事を防いでいるが、その可視範囲制限が逆に見たい被写体に対してカメラの駆動ができず、被写体に適したカメラ設定を行う妨げになるという問題があった。
【００２０】
（発明の目的）
本発明の目的は、撮像手段の駆動制限に影響されることなく見たい被写体に対して適切な評価枠設定を撮像手段の駆動に連動して行うことで、従来よりも被写体を的確にとらえることができる撮像装置、評価枠設定システムおよび撮像装置の制御方法を提供することである。
【課題を解決するための手段】
【００２１】
上記目的を達成するために、本発明の撮像装置は、撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、露出制御、焦点調節、自動ホワイトバランスのうちの少なくとも一つの評価枠を撮像画面上に生成する評価枠生成手段とを備えた撮像装置において、前記移動機構の動作で前記撮像手段が駆動範囲の制限端まで移動した場合には、前記評価枠の位置を前記移動機構による前記撮像手段の移動に連動させて前記撮像手段の移動と同一方向に前記評価枠を基準位置から動かす評価枠移動手段を有することを特徴とするものである。
【００２２】
また、上記目的を達成するために、本発明の撮像装置は、撮像手段を第１の方向に動かすパン機構、前記撮像手段を前記第１の方向と異なる第２の方向に動かすチルト機構、前記撮像手段を回転させるローテーション機構のうちの少なくとも一つからなる移動機構を制御する制御手段と、露出制御、焦点調節、自動ホワイトバランスのうちの少なくとも一つの評価枠を撮像画面上に生成する評価枠生成手段とを備えた撮像装置において、前記移動機構の動作で前記撮像手段が駆動範囲の制限端まで移動した場合には、前記評価枠の重みづけを前記移動機構による前記撮像手段の移動に連動させて標準状態から変更する重みづけ変更手段を有することを特徴とするものである。
【発明の効果】
【００２３】
本発明によれば、撮像手段の駆動制限に影響されることなく見たい被写体に対して適切な評価枠設定を撮像手段の駆動に連動して行うことで、従来よりも被写体を的確にとらえることができる。
【図面の簡単な説明】
【００２４】
【図１】本発明の実施例１に係る撮像装置としての監視カメラの機能ブロック構成図である。
【図２】実施例１の動作を示すフローチャートである。
【図３】実施例１の他の動作を示すフローチャートである、
【図４】ＰＴＲ動作と評価枠の連動について説明する図である。
【図５】本発明の実施例２の動作を示すフローチャートである。
【図６】実施例２の他の動作を示すフローチャートである。
【図７】実施例２におけるＡＥの評価枠重みづけの例（標準状態）を示す図である。
【図８】実施例２におけるＡＥの評価枠重みづけの変更例を示す図である。
【図９】一般的なカメラ制御画面の例を示す図である。
【図１０】本発明の実施例３である評価枠設定システムを説明する図である。
【図１１】本発明の実施例４である評価枠設定システムを説明する図である。
【図１２】従来の監視カメラによる撮像模式図である。
【発明を実施するための形態】
【００２５】
本発明を実施するための形態は、以下の実施例１ないし４に記載される通りである。
【実施例１】
【００２６】
図１は、本発明の実施例１である撮像装置としての監視カメラの機能ブロック構成図である。図１において、１０１は監視カメラ、１０２は撮像部、１０３は画像処理部、１０４はシステム制御部である。１０５は撮像部１０２を第１の方向である左右に動かすパン機構、１０６はパン制御部である。１０７は撮像部１０２を第１の方向と異なる第２の方向である上下に動かすチルト機構、１０８はチルト制御部である。１０９は撮像部１０２を光軸回りに回転させるローテーション機構、１１０はローテーション制御部である。パン機構１０５、チルト機構１０７、ローテーション機構１０９のうちの少なくとも一つが移動機構を構成する。
【００２７】
監視カメラ１０１はＬＡＮ等のネットワークに接続され、ネットワークを介して複数あるいは単数の監視装置（不図示）と通信可能に構成されている。監視装置はネットワークを介して、監視カメラ１０１の撮影映像の表示、録画を行うことができる。また、監視装置はカメラ制御指令を監視カメラ１０１に送信することにより、カメラの撮影条件の設定、パン動作、チルト動作、ローテーション動作等を行うことができる。
【００２８】
撮像部１０２は、撮像レンズ及び撮像素子などから構成され、被写体の撮像、電気信号への変換を行う。撮像部１０２において撮像・光電変換された信号は画像処理部１０３において所定の画像処理が行われ、撮影画像が生成される。また、画像処理部１０３は、露出制御（ＡＥ）、焦点調節（ＡＦ）、自動ホワイトバランス（ＡＷＢ）のうちの少なくとも一つの評価枠を撮像画面上に生成する。画像処理部１０３は、評価枠生成手段を構成する。評価枠を含んだ撮像画像はシステム制御部１０４に伝達される。システム制御部１０４は画像処理部１０３から伝達された画像信号をネットワークを介して監視装置へ配信する。
【００２９】
また、システム制御部１０４は、ネットワークを介して監視装置より送信されたカメラ制御指令を受信する。そして受信したカメラ制御指令に応じて撮影条件の設定や、ＰＴＲ動作、評価枠の移動などの動作指令をＰＴＲの各制御部１０６、１０８、１１０や画像処理部１０３に伝達する。各制御部は伝達された動作指令に基づいてそれぞれの機構の制御を行う。
【００３０】
パン機構１０５は、パン動作を行うメカ駆動系及び駆動源のステッピングモータにより構成され、その動作はパン制御部１０６により制御される。
【００３１】
チルト機構１０７は、チルト動作を行うメカ駆動系及び駆動源のステッピングモータにより構成され、その動作はチルト制御部１０８により制御される。
【００３２】
ローテーション機構１０９は、ローテーション動作を行うメカ駆動系及び駆動源のステッピングモータにより構成され、その動作はローテーション制御部１１０により制御される。
【００３３】
パン機構１０５、チルト機構１０７、ローテーション機構１０９の少なくとも一つからなる移動機構は、撮像部１０２をパン動作、チルト動作、ローテーション動作させるものである。撮像部１０２だけでなく、監視カメラ１０１の全体をパン動作、チルト動作、ローテーション動作させるものであってもよい。
【００３４】
パン機構１０５、チルト機構１０７、ローテーション機構１０９は、図１においては監視カメラ１０１に内蔵されているが、監視カメラ１０１に外付けされるものであってもよい。
【００３５】
図２は本発明の実施例１による動作の一例を示すフローチャートである。この動作は、カメラあるいは撮像部１０２が駆動制限に到達し、そこから前記評価枠をチルト動作に連動させて動かす例である。図２ではチルト動作で説明しているが、パン動作でもローテーション動作でも同様である。
【００３６】
まず、カメラ（あるいは撮像部１０２）が自由に駆動できる駆動範囲である場合（２０１）には、通常のＴ動作を行う（２０２）。
【００３７】
そして移動目標位置が駆動範囲内であった場合（２０３）には、そこでＴ動作を停止させ（２０４）、目標位置に到達するまでステップ２０１からのフローを繰り返す。
【００３８】
カメラの駆動が駆動範囲の制限端に至った場合には（２０１のＮＯ）、Ｔ動作を停止させ（２０５）、続いてカメラの移動と同一方向に評価枠を基準位置から移動させる（２０６）。評価枠を移動させる手段が評価枠移動手段を構成する。評価枠の移動は、画像処理部１０３が評価枠の切り出し位置を変えることで行う。
【００３９】
前記評価枠が駆動エリアの端まで来た時（２０７）には前記評価枠の移動も停止させる（２０８）。
【００４０】
一方、ステップ２０７で前記評価枠が駆動エリア端まで来ていない状態で目標位置に到達した場合（２０９のＹＥＳ）には前記評価枠の移動を停止する（２０８）。
【００４１】
また、目標位置に到達しない場合にはステップ２０６からのフローを繰り返す。
【００４２】
次にカメラ（あるいは撮像部１０２）が駆動範囲の端にいて、さらに前記評価枠があらかじめ決められている基準位置から動いている状態で、カメラを駆動範囲内に移動させる場合のフローチャートを図３に示す。
【００４３】
前記操作位置の状態からカメラのＰＴＲ動作が行われる場合、まず評価枠が基準位置から動いた位置にあるかどうかを判断する（３０１）。
【００４４】
評価枠が基準位置にいない場合は次に移動しようとするＰＴＲの移動量と、現在の評価枠の基準位置からの移動量を比較し（３０２）、ＰＴＲの移動量が評価枠の移動量より大きかった場合には、評価枠を基準位置（通常位置）に戻し（３０３）、ＰＴＲ動作、例えばチルト動作を行う（３０４）。
【００４５】
そして、ＰＴＲ駆動が目標位置に到達したら（３０５）、チルト動作を停止する（３０６）。
【００４６】
ＰＴＲ駆動が目標位置に到達しない場合には（３０５のＮＯ）、ＰＴＲ動作（３０４）を繰り返し行う。
【００４７】
また、ステップ３０２でＰＴＲの移動量が評価枠の移動量以下である場合には、評価枠を移動させる（３０７）。
【００４８】
そして評価枠の移動で目標位置に到達した場合には（３０８）、評価枠の移動を停止する（３０９）。
【００４９】
さらに、ステップ３０１で評価枠が基準位置にいる場合には、ＰＴＲ動作、例えばチルト動作を行い（３１０）、ＰＴＲ駆動が目標位置に到達したら（３１１）、ＰＴＲ動作を停止する（３０６）。
【００５０】
ステップ３１１でＰＴＲ駆動が目標位置に到達しない場合には、ＰＴＲ動作（３１０）を繰り返し行う。
【００５１】
ここでは、駆動範囲内に戻った所までをフローチャートで説明したが、戻す位置が現在位置とは反対側のＰＴＲの駆動範囲外であった場合は、先に説明した図２の動作を行えば良い。
【００５２】
さらにここで、ＰＴＲ動作と評価枠の連動についての一例を図４を基に説明をする。
【００５３】
通常、カメラ（あるいは撮像部１０２）４０１のＰＴＲ動作は撮影画角（撮影画幅Ｚ）４０２に応じて制御している。
【００５４】
つまり、撮影画面上での移動量Ｙ（４０３）がカメラのＰＴＲ動作の何度θ（４０４）の動きに相当するかを算出し、その角度に合わせてモータのパルス数を設定してカメラを移動させている。
【００５５】
よって、カメラが駆動範囲の端まで来た場合に、そこから評価枠を撮影画面上どの程度動かすかを同様に算出すれば、カメラのＰＴＲ駆動と評価枠の連動を実現する事ができる。
【００５６】
以上のように本実施例１により、従来と比べカメラ（あるいは撮像部）の駆動範囲の制限に影響されることなく見たい被写体に対して適切な評価枠設定をカメラの駆動に連動して行うことで、従来よりも被写体を的確にとらえることができる。
【実施例２】
【００５７】
本実施例２ではパンフォーカスカメラや、フォーカス固定のカメラを想定した実施例を説明するものであり、実施例１と違い、図５、図６に示すように評価枠をずらすのではなく、評価枠内の重みづけを変化させることにより被写体に適したカメラ設定を行おうとするものである。
【００５８】
図５において、まず、カメラ（あるいは撮像部１０２）が駆動範囲内である場合（５０１）には、通常のＰＴＲ動作、例えばチルト動作を行う（５０２）。
【００５９】
そしてカメラの目標位置が駆動範囲内であった場合（５０３）には、そこでＰＴＲ動作を停止させ（５０４）、目標位置に到達するまで前記ステップ５０１からのフローを繰り返す。
【００６０】
カメラの駆動が駆動範囲外になった場合には（５０１のＮＯ）、ＰＴＲ動作を停止させ（５０５）、続いて評価枠の重みづけを変更する（５０６）。
【００６１】
以上のようにカメラの駆動範囲による制限のため被写体にカメラの位置をうまく合わせられない場合でも、評価枠内の重みづけの割合を前記標準状態から変える事で被写体に対して適切なカメラ設定を行うことが出来る。
【００６２】
次にカメラがＰＴＲの駆動範囲の端にいて、さらに評価枠内での重みづけが標準状態から変更されている状態から、カメラを通常の駆動範囲内に移動させる場合のフローチャートを図６に示す。
【００６３】
前記評価枠の重みづけが変更された状態からカメラのＰＴＲ動作が行われる場合、まず評価枠の重みづけが変更状態にあるかどうかを判断する（６０１）。
【００６４】
評価枠の重みづけが標準状態でない場合は次に移動しようとするカメラのＰＴＲ移動量と、現在の評価枠の重みづけ変更量を比較し（６０２）、ＰＴＲの移動量が評価枠の重みづけ変更量より大きかった場合には、評価枠の重みづけを標準（通常）に戻し（６０３）、ＰＴＲ動作、例えばチルト動作を行う（６０４）。
【００６５】
そして、ＰＴＲ駆動が目標位置に到達したら（６０５）、ＰＴＲ動作を停止する（６０６）。ＰＴＲ駆動が目標位置に到達しない場合には（６０５のＮＯ）、ＰＴＲ動作（６０４）を繰り返し行う。
【００６６】
また、ステップ６０２でＰＴＲの移動量が評価枠の重みづけ変更量以下である場合には、評価枠の重みづけを変更させる（６０７）。
【００６７】
さらに、前ステップ６０１で評価枠の重みづけが標準状態にある（変更状態でない）場合には、ＰＴＲ動作を行い（６０８）、ＰＴＲ駆動が目標位置に到達したら（６０９）、ＰＴＲ動作を停止する（６０６）。ＰＴＲ駆動が目標位置に到達しない場合には（６０９のＮＯ）、ＰＴＲ動作（６０８）を繰り返し行う。
【００６８】
ここでは、通常のチルト動作の駆動範囲内に戻った所までをフローチャートで説明したが、戻す位置が現在位置とは反対側の駆動範囲外であった場合は、先に説明した図５の動作を行えば良い。
【００６９】
さらにここで、ＰＴＲ動作と評価枠の重みづけの変化の連動についての一例を説明をする。
【００７０】
通常カメラのＰＴＲ動作は撮影画角に応じて制御している。
【００７１】
本実施例２では、ＰＴＲ動作の本来の駆動範囲に追加して評価枠の重みづけをＰＴＲ動作に連動する形で実行可能とし、前記追加された評価枠の重みづけ変更エリアにおける変更量の割合は、あらかじめ決める方式でも、例えば何画素動いたら重みづけをどの程度変えるとしたり、任意に変更できる方式でもどちらでも実現可能である。
【００７２】
例えば、前記ＡＥ機能を代表して説明すると、図７に示すように駆動範囲内にカメラがある場合には、撮影画像内を図示されている割合の重みづけで評価しているとする。
【００７３】
そして、例えばチルト方向にカメラを駆動し、前記カメラの駆動範囲外になった時は、チルト方向に合わせて重みづけを図８に示すようにシフトさせる。
【００７４】
こうする事で、カメラの動きに連動して被写体に対した適切なカメラ設定ができる。
【００７５】
以上のように本実施例２により、従来と比べカメラの駆動範囲の制限に影響されることなく見たい被写体に対して適切な評価枠設定をカメラの駆動に連動して行うことで、従来よりも被写体を的確にとらえることができる。
【実施例３】
【００７６】
次に本発明の実施例３である評価枠設定システムについて説明する。
【００７７】
本実施例３は実施例１および実施例２を実現するためのＧＵＩ（Ｇｒａｐｈｉｃａｌ  Ｕｓｅｒ  Ｉｎｔｅｒｆａｃｅ）の一例を示すものであり、カメラのＰＴＲ動作については実施例１および実施例２と同様である。
【００７８】
実施例１および実施例２で説明したように、カメラのＰＴＲ駆動の際にＰＴＲ駆動量がカメラの駆動範囲内かどうかで評価枠の設定を変更するかどうかの処理が変わる。
【００７９】
つまり、実際にカメラがＰＴＲ駆動する場合と評価枠の設定を変更する場合の２パターンがあるということであり、ユーザーが現在前記２パターンのどの状態なのかを判断する必要がある。
【００８０】
なぜなら、カメラのＰＴＲ操作をしても仮にＰＴＲ動作に連動した評価枠の設定を変更する駆動範囲の端にカメラがいた場合に、ユーザーがＰＴＲ動作を選択してもカメラが実際にはＰＴＲ動作しない状況が生じてしまい、故障しているのか等といった誤解を招く恐れがあるためである。
【００８１】
そこで本実施例３では実際にカメラがＰＴＲ駆動する場合と評価枠の設定を変更する場合の２パターンのどの状態なのか判断できるＧＵＩの一例を図１０に示す。
【００８２】
図９は一般的なカメラ制御画面を示している。撮影画面９０１の右横と下にここではパン操作とチルト操作ができるカーソルバー９０２，９０３がついており、現在位置を示すマーク９０４，９０５で現在位置を把握する。
【００８３】
従来は図９のように駆動範囲をバーの長さで表現し、その駆動範囲内を指定することで所望のカメラ位置に移動させるというものが一般的である。
【００８４】
本実施例３では、図１０に示すようにカメラの駆動範囲を示すカーソルバー１００１に追加して、実際にはＰＴＲ動作は行わずに評価枠の移動もしくは重みづけの変更を行う重みづけ変更エリア１００２を追加して表示させる。図１０ではチルトに係るカーソルバー１００１および重みづけ変更エリア１００２のみが図示されているが、パンに係るカーソルバーや重みづけ変更エリアも同様に設けられる。
【００８５】
以上のように、本実施例３の評価枠設定システムにより評価枠設定をカメラの駆動に連動して行うことが可能となり、ユーザーが現在ＰＴＲ駆動を行う状態なのか評価枠の設定を変更する状態なのか把握しやすくなる。
【実施例４】
【００８６】
次に本発明の実施例４である評価枠設定システムについて説明する。
【００８７】
本実施例４は実施例１および実施例２を実現するためのＧＵＩの一例を示すものであり、カメラのＰＴＲ動作については実施例１および実施例２と同様である。
【００８８】
実施例１および実施例２で説明したように、カメラのＰＴＲ駆動の際にＰＴＲ駆動量がカメラの駆動範囲内かどうかで評価枠の設定を変更するかどうかの処理が変わる。
【００８９】
つまり、実際にカメラがＰＴＲ駆動する場合と評価枠の設定を変更する場合の２パターンがあるということであり、ユーザーが現在前記２パターンのどの状態なのかを判断する必要がある。
【００９０】
なぜなら、カメラのＰＴＲ操作をしても仮にＰＴＲ動作に連動した評価枠の設定を変更する駆動範囲の制限端にカメラがいた場合に、ユーザーがＰＴＲ動作を選択してもカメラが実際にはＰＴＲ動作しない状況が生じてしまい、故障しているのか等といった誤解を招く恐れがあるためである。
【００９１】
また、一般的に監視カメラでは評価枠は表示されないのが多く、カメラの評価枠の設定を変更している場合どの位置を対象にしているのかわからず、被写体に適したカメラ設定が出来なくなってしまう可能性がある。
【００９２】
そこで本実施例４は実際にカメラがＰＴＲ駆動する場合と評価枠の設定を変更する場合の２パターンのどの状態なのかを判断できるＧＵＩの一例を図１１に示す。
【００９３】
本実施例４では図１１に一例としてＡＦの評価枠が画面上に表示されている。
【００９４】
このように評価枠の表示位置を評価枠の基準位置１１０１）からＰＴＲに連動させた変更位置１１０２に移動させることで現在どのエリアに対してピント合わせを行っているか明示的にわかる。
【００９５】
また、この評価枠の表示はＰＴＲの駆動範囲の制限端よりもさらに動かして評価枠を基準位置から移動させる場合にだけ表示させるとしても良い。
【００９６】
こうすることで、通常のＰＴＲ駆動範囲内の時は評価枠を意識しないで済む。
【００９７】
さらに、この評価枠の表示はＰＴＲの駆動範囲の制限端よりもさらに動かして評価枠を基準位置から移動させる場合でかつ所定時間、評価枠の移動が無い場合は、評価枠の表示をやめるとしてもよい。
【００９８】
このようにＰＴＲの駆動範囲内にカメラがいる場合と、駆動範囲の制限端で評価枠を動かしている場合とで評価枠の表示方法を変えることで、ユーザーが使いやすいＧＵＩを提供できる。
【００９９】
以上のように本実施例４により、評価枠設定をカメラのＰＴＲ駆動に連動して行う際に、ユーザーが現在ＰＴＲＲ駆動を行う状態なのか評価枠の設定を変更する状態なのか把握しやすくなるとともに、どの撮影エリアを対象に評価枠設定を行っているのか直観的に判断でき、被写体に適したカメラ設定が出来るようになる。
【符号の説明】
【０１００】
１０１  監視カメラ
１０２  撮像部
１０３  画像処理部
１０４  システム制御部
１０５  パン機構
１０７  チルト機構
１０９  ローテーション機構
【図１】
2014027587.tif 000003
【図２】
2014027587.tif 000004
【図３】
2014027587.tif 000005
【図４】
2014027587.tif 000006
【図５】
2014027587.tif 000007
【図６】
2014027587.tif 000008
【図７】
2014027587.tif 000009
【図８】
2014027587.tif 000010
【図９】
2014027587.tif 000011
【図１０】
2014027587.tif 000012
【図１１】
2014027587.tif 000013
【図１２】
2014027587.tif 000014